【手続補正書】
【提出日】令和2年7月14日(2020.7.14)
【手続補正１】
【補正対象書類名】特許請求の範囲
【補正対象項目名】全文
【補正方法】変更
【補正の内容】
【特許請求の範囲】
【請求項１】
シート材と、
前記シート材の主面上において交差部を有するように配設された複数の絶縁電線と、
を備え、
前記交差部における上側電線部を構成する絶縁電線が、前記交差部を挟む第１位置及び第２位置でそれぞれ前記シート材と固定され、
前記上側電線部を構成する絶縁電線は、前記第１位置及び前記第２位置以外の箇所でも長手方向に沿って、前記第１位置と前記第２位置との間隔とは異なる間隔をあけて前記シート材に固定され、
前記第１位置及び前記第２位置で前記シート材と固定された前記絶縁電線において前記第１位置と前記第２位置との間隔よりも大きい間隔をあけて前記シート材に固定されている部分が存在する、配線部材。
【請求項２】
シート材と、
前記シート材の主面上において交差部を有するように配設された複数の絶縁電線と、
を備え、
前記交差部における上側電線部を構成する絶縁電線が、前記交差部を挟む第１位置及び第２位置でそれぞれ前記シート材と固定され、
１組の前記第１位置及び前記第２位置の間に下側電線部が複数存在する、配線部材。
【請求項３】
シート材と、
前記シート材の主面上において交差部を有するように配設された複数の絶縁電線と、
を備え、
前記絶縁電線のうち前記交差部を構成する部分が偏平であり、
前記交差部において１つの絶縁電線が２つ以上の絶縁電線と交差しており、前記１つの絶縁電線のうち長手方向に沿って前記２つ以上の絶縁電線とそれぞれ交差する部分及び前記２つ以上の電線の間に位置する部分が偏平である、配線部材。
【請求項４】
シート材と、
前記シート材の主面上において交差部を有するように配設された複数の絶縁電線と、
を備え、
前記絶縁電線のうち前記交差部を構成する部分が偏平であり、
前記絶縁電線のうち前記交差部以外の部分において前記交差部を構成する部分よりも偏平でない部分が存在し、
前記絶縁電線について周方向に沿って観察された際、前記交差部を構成する部分は、前記偏平でない部分と比べて、交差する相手側の絶縁電線に面する部分及びその反対側部分の両方が潰されて偏平である、配線部材。
【請求項５】
シート材と、
前記シート材の主面上において交差部を有するように配設された複数の絶縁電線と、
を備え、
前記シート材上に第１絶縁電線と前記第１絶縁電線よりも細径の第２絶縁電線とが混在しており、
前記シート材上におけるすべての交差部において、上側電線部及び下側電線部のうち少なくとも一方が前記第２絶縁電線である、配線部材。
【手続補正２】
【補正対象書類名】明細書
【補正対象項目名】０００６
【補正方法】変更
【補正の内容】
【０００６】
上記課題を解決するため、第１の態様に係る配線部材は、シート材と、前記シート材の主面上において交差部を有するように配設された複数の絶縁電線と、を備え、前記交差部における上側電線部を構成する絶縁電線が、前記交差部を挟む第１位置及び第２位置でそれぞれ前記シート材と固定され、前記上側電線部を構成する絶縁電線は、前記第１位置及び前記第２位置以外の箇所でも長手方向に沿って、前記第１位置と前記第２位置との間隔とは異なる間隔をあけて前記シート材に固定され、前記第１位置及び前記第２位置で前記シート材と固定された前記絶縁電線において前記第１位置と前記第２位置との間隔よりも大きい間隔をあけて前記シート材に固定されている部分が存在する。
【手続補正３】
【補正対象書類名】明細書
【補正対象項目名】０００７
【補正方法】変更
【補正の内容】
【０００７】
第２の態様に係る配線部材は、シート材と、前記シート材の主面上において交差部を有するように配設された複数の絶縁電線と、を備え、前記交差部における上側電線部を構成する絶縁電線が、前記交差部を挟む第１位置及び第２位置でそれぞれ前記シート材と固定され、１組の前記第１位置及び前記第２位置の間に下側電線部が複数存在する。
【手続補正４】
【補正対象書類名】明細書
【補正対象項目名】０００８
【補正方法】変更
【補正の内容】
【０００８】
第３の態様に係る配線部材は、シート材と、前記シート材の主面上において交差部を有するように配設された複数の絶縁電線と、を備え、前記絶縁電線のうち前記交差部を構成する部分が偏平であり、前記交差部において１つの絶縁電線が２つ以上の絶縁電線と交差しており、前記１つの絶縁電線のうち長手方向に沿って前記２つ以上の絶縁電線とそれぞれ交差する部分及び前記２つ以上の電線の間に位置する部分が偏平である。
【手続補正５】
【補正対象書類名】明細書
【補正対象項目名】０００９
【補正方法】変更
【補正の内容】
【０００９】
第４の態様に係る配線部材は、シート材と、前記シート材の主面上において交差部を有するように配設された複数の絶縁電線と、を備え、前記絶縁電線のうち前記交差部を構成する部分が偏平であり、前記絶縁電線のうち前記交差部以外の部分において前記交差部を構成する部分よりも偏平でない部分が存在し、前記絶縁電線について周方向に沿って観察された際、前記交差部を構成する部分は、前記偏平でない部分と比べて、交差する相手側の絶縁電線に面する部分及びその反対側部分の両方が潰されて偏平である。
【手続補正６】
【補正対象書類名】明細書
【補正対象項目名】００１０
【補正方法】変更
【補正の内容】
【００１０】
第５の態様に係る配線部材は、シート材と、前記シート材の主面上において交差部を有するように配設された複数の絶縁電線と、を備え、前記シート材上に第１絶縁電線と前記第１絶縁電線よりも細径の第２絶縁電線とが混在しており、前記シート材上におけるすべての交差部において、上側電線部及び下側電線部のうち少なくとも一方が前記第２絶縁電線である。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
第１及び第２の態様によると、配線部材が曲げられた場合でも上側電線部が浮きにくくなる。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】変更
【補正の内容】
【００２１】
第１の態様によると、絶縁電線の配設形態に応じて固定することができる。
【手続補正１７】
【補正対象書類名】明細書
【補正対象項目名】００２２
【補正方法】変更
【補正の内容】
【００２２】
第３及び第４の態様によると、交差部の高さを低くすることができる。
【手続補正１８】
【補正対象書類名】明細書
【補正対象項目名】００２３
【補正方法】変更
【補正の内容】
【００２３】
第４の態様によると、電線として例えば丸電線などの汎用電線を使用した場合にも、交差部の高さを低くすることができる。
【手続補正１９】
【補正対象書類名】明細書
【補正対象項目名】００８３
【補正方法】変更
【補正の内容】
【００８３】
本明細書は下記開示を含む。
第１の態様に係る配線部材は、シート材と、前記シート材の主面上において交差部を有するように配設された複数の絶縁電線と、を備える。
第２の態様に係る配線部材は、第１の態様に係る配線部材であって、前記交差部における下側電線部の絶縁被覆が、前記交差部の位置で前記シート材に固定されており、この固定部分における前記下側電線部の絶縁被覆と前記シート材とのうち少なくとも一方の厚みが薄くなっている。
第３の態様に係る配線部材は、第１又は第２の態様に係る配線部材であって、前記交差部における上側電線部を構成する絶縁電線が、前記交差部を挟む第１位置及び第２位置でそれぞれ前記シート材と固定されている。
第４の態様に係る配線部材は、第３の態様に係る配線部材であって、前記第１位置と前記第２位置との間隔が３０ミリメートル以下である。
第５の態様に係る配線部材は、第４の態様に係る配線部材であって、前記第１位置と前記第２位置との間隔が２０ミリメートル以下である。
第６の態様に係る配線部材は、第３から第５のいずれか１つの態様に係る配線部材であって、前記第１位置及び前記第２位置と前記交差部との間隔がそれぞれ前記上側電線部を構成する絶縁電線の最小曲げ半径以上である。
第７の態様に係る配線部材は、第３から第６のいずれか１つの態様に係る配線部材であって、前記上側電線部を構成する絶縁電線は、前記第１位置及び前記第２位置以外の箇所でも、長手方向に沿って前記第１位置と前記第２位置との間隔とは異なる間隔をあけて前記シート材に固定されている。
第８の態様に係る配線部材は、第１から第７のいずれか１つの態様に係る配線部材であって、前記絶縁電線のうち前記交差部を構成する部分が偏平である。
第９の態様に係る配線部材は、第８の態様に係る配線部材であって、前記絶縁電線のうち前記交差部以外の部分において前記交差部を構成する部分よりも偏平でない部分が存在する。
各態様によると、シート材上で絶縁電線を交差させることによって、偏平な一の配線部材において導体の配設経路の自由度を高めることができる。
第２の態様によると、交差部の高さを低くすることができ、もって配線部材の厚みが大きくなることを抑えることができる。
第３の態様によると、配線部材が曲げられた場合でも上側電線部が浮きにくくなる。
第４の態様によると、配線部材が曲げられた場合でも上側電線部がより浮きにくくなるとともに、浮いた場合の量を小さくできる。
第５の態様によると、配線部材が曲げられた場合でも上側電線部が特に浮きにくくなるとともに、浮いた場合の量をさらに小さくできる。
第６の態様によると、交差部の前後で曲がる上側電線部が傷つきにくい。
第７の態様によると、絶縁電線の配設形態に応じて固定することができる。
第８の態様によると、交差部の高さを低くすることができる。
第９の態様によると、電線として例えば丸電線などの汎用電線を使用した場合にも、交差部の高さを低くすることができる。
以上のようにこの発明は詳細に説明されたが、上記した説明は、すべての局面において例示であって、この発明がそれに限定されるものではない。例示されていない無数の変形例が、この発明の範囲から外れることなく想定され得るものと解される。